(57)【要約】【課題】バイアル瓶を個別にピックアップし、又は複数個同時にピックアップすることのいずれもが容易であるとともに、バイアル瓶を収容する収容容器の包装や搬送をバイアル瓶の容量に関わらず共通化させることが可能なバイアル瓶の収容容器、及びその収納容器を提供する。【解決手段】バイアル瓶の収容容器であるネスト１は、複数の円筒形のバイアル瓶を保持するバイアル瓶の収容容器であって、複数の孔１１Ａが形成された天板１１と、孔１１Ａに連設されたバイアル瓶の保持部１２と、を備え、天板１１は、孔１１Ａが形成された領域の外縁に保持代１１Ｂを備え、保持部１２は、バイアル瓶の底部を支持する支持片１２Ｂと、バイアル瓶をその底面からを押し上げ可能な押上げ穴１２Ｃを備える。【選択図】図１
2019017638.tif 000002
【特許請求の範囲】
【請求項１】
複数の円筒形のバイアル瓶を保持するバイアル瓶の収容容器であって、
複数の孔が形成された天板と、
孔に連設されたバイアル瓶の保持部と、を備え、
天板は、孔が形成された領域の外縁に保持代を備え、
保持部は、バイアル瓶の底部を支持する支持片と、バイアル瓶をその底面からを押し上げ可能な押上げ穴を備えた、
バイアル瓶の収容容器。
【請求項２】
保持部は、円筒状に形成され、
支持片は、保持部の底面に円環状に形成され、
押上げ穴は、支持片の中央に形成された、
請求項１記載のバイアル瓶の収容容器。
【請求項３】
保持代には、収容容器を把持して搬送可能な把持部が形成された、
請求項１又は２記載のバイアル瓶の収容容器。
【請求項４】
ポリカーボネート樹脂、アクリル樹脂、ポリスチレン樹脂のいずれかの素材により形成された、請求項１から３のいずれか１項に記載のバイアル瓶の収容容器。
【請求項５】
請求項１から４のいずれか１項に記載のバイアル瓶の収容容器を収納する収納容器であって、
この収納容器は、
底面と側壁とにより箱状に形成され、
側壁は、段部を備え、
段部は、底面からの高さが収容容器の保持部の高さより高い位置になるように形成され、収容容器が収納された際に天板の保持代が段部に当接して、収容容器が段部によって保持されるように形成され、
側壁は、その高さが、収容容器が収納された場合に、収容容器に保持されたバイアル瓶の頂部よりも高く形成される、収納容器。
【発明の詳細な説明】
【技術分野】
【０００１】
本発明は、バイアル瓶の収容容器、及びその収納容器に関する。
【背景技術】
【０００２】
従来、注射剤等の薬液を保存する目的で使用されるシリンジ又はバイアル瓶においては、その容器自体の包装形態として、滅菌済であり、更なる滅菌工程等を必要とせずに直ちに医薬品を充填することが可能なＲＴＵ（Ｒｅａｄｙ  Ｔｏ  Ｕｓｅ）と呼ばれる梱包方式が知られている。
【０００３】
例えば、特許文献１では、バイアル瓶を収容する容器を、合成樹脂にて一体成形し、バイアル瓶を上方向から差込み可能な略円柱形状の凹部を複数個設け、凹部の底面に、貫通孔が形成され、底面は２段壁構造になっている。また、バイアル瓶を上方向から差込み可能な凹部を複数個有する合成樹脂製のトレイにより、バイアル瓶を立てた状態で、トレイとバイアル瓶とを真空包装している。このようなバイアル瓶の収容容器では、容器にバイアル瓶を立てたまま注薬や蒸気滅菌が可能で、効率的な作業が可能になっている。
【先行技術文献】
【特許文献】
【０００４】
【特許文献１】特開２０１６−１０５８８号公報
【発明の概要】
【発明が解決しようとする課題】
【０００５】
ところで、バイアル瓶への薬液の充填や滅菌では、バイアル瓶を個別にピックアップする場合もあれば、複数個を一度にピックアップして充填する工程や滅菌工程へ搬送する場合がある。この点、特許文献１の容器では、トレイのようにバイアル瓶を収容する収容容器を備えるものの、収容容器自体の搬送性や収容容器から個別のバイアル瓶をピックアップすることまでを想定したものとはいえず、上記のニーズに応えるものとはいえなかった。
【０００６】
また、バイアル瓶は、充填する薬剤の種類や用途に応じて、例えば、６ｍＬ、１０ｍＬ、２０ｍＬなどの容量が異なるタイプがあるところ、特許文献１の容器では、このような容量の違うバイアル瓶を扱う場合には、バイアル瓶を収容する収容容器の包装や搬送をバイアル瓶の容量に関わらず共通化させることはできなかった。
【０００７】
そこで、本発明は、バイアル瓶を個別にピックアップし、又は複数個同時にピックアップすることのいずれもが容易であるとともに、バイアル瓶を収容する収容容器の包装や搬送をバイアル瓶の容量に関わらず共通化させることが可能なバイアル瓶の収容容器、及びその収納容器を提供することを目的とする。
【課題を解決するための手段】
【０００８】
本発明の一態様に係るバイアル瓶の収容容器は、複数の円筒形のバイアル瓶を保持するバイアル瓶の収容容器であって、複数の孔が形成された天板と、孔に連設されたバイアル瓶の保持部と、を備え、天板は、孔が形成された領域の外縁に保持代を備え、保持部は、バイアル瓶の底部を支持する支持片と、バイアル瓶をその底面からを押し上げ可能な押上げ穴を備える。
【０００９】
この態様によれば、バイアル瓶の収容領域となる複数の孔で形成された保持部を備えた天板が、外縁に保持代を有し、また保持部に支持片が形成されたことで、この保持代を保持してバイアル瓶を収容した状態でバイアル瓶を落下させることなく収容容器を容易に搬送することが可能になる。また、保持部は、底面にバイアル瓶を押上げ可能な押上げ穴を備えたことで、バイアル瓶をその上方を摘まんで個別にピックアップする際に、底面側から瓶を押し上げることも可能で、バイアル瓶の個別のピックアップを容易に行うことができる。
【００１０】
上記態様において、保持部は、円筒状に形成され、支持片は、保持部の底面に円環状に形成され、押上げ穴は、支持片の中央に形成されていてもよい。この態様によれば、押上げ穴が中央に形成されているので、バイアル瓶を底面からバランスよく押し上げることが可能になる。
【００１１】
上記態様において、保持代には、収容容器を把持して搬送可能な把持部が形成されていてもよい。この態様によれば、保持代に把持部が形成されることで、収容容器ごと搬送するに当たって、より容易に搬送できる。
【００１２】
上記態様において、収容容器は、ポリカーボネート樹脂、アクリル樹脂、ポリスチレン樹脂のいずれかの素材により形成されていてもよい。この態様によれば、収容容器を、前述の素材により形成することで、収容容器の強度を高くすることができるとともに、ガンマ線滅菌などにおいて黄色化を低減することができる。また、収容容器を、前述の素材により形成することで、収容容器が透明となりバイアル瓶の収容有無を容易に確認することが出来る。
【００１３】
本発明の他の態様に係るバイアル瓶の収容容器を収納する収納容器は、底面と側壁とにより箱状に形成され、側壁は、段部を備え、段部は、底面からの高さが収容容器の保持部の高さより高い位置になるように形成され、収容容器が収納された際に天板の保持代が段部に当接して、収容容器が段部によって保持されるように形成され、側壁は、その高さが、収容容器が収納された場合に、収容容器に保持されたバイアル瓶の頂部よりも高く形成される。
【００１４】
この態様によれば、バイアル瓶の収容容器を収納する収納容器を設け、収納容器の段部を、収容容器の保持代の高さと合わせるとともに、バイアル瓶の底部及び頂部が収納容器に収まるように設計することで、バイアル瓶の容量やサイズが変わった場合でも、バイアル瓶の収容容器はバイアル瓶の容量やサイズに合わせて変えつつ、収納容器を共通にして収納することができる。そのため、バイアル瓶を収容する収容容器の包装や搬送をバイアル瓶の容量に関わらず共通化させることが可能になる。
【発明の効果】
【００１５】
本発明によれば、バイアル瓶を個別にピックアップし、又は複数個同時にピックアップすることのいずれもが容易であるとともに、バイアル瓶を収容する収容容器の包装や搬送をバイアル瓶の容量に関わらず共通化させることが可能なバイアル瓶の収容容器、及びその収納容器を提供することができる。
【図面の簡単な説明】
【００１６】
【図１】本実施形態におけるネストの構成を示す斜視図（Ａ）、平面図（Ｂ）及び側面図（Ｃ）である。
【図２】ネストの他の構成を示す斜視図（Ａ）、平面図（Ｂ）及び側面図（Ｃ）である。
【図３】ネストの他の構成を示す斜視図（Ａ）、平面図（Ｂ）及び側面図（Ｃ）である。
【図４】本実施形態におけるネスト及びタブの構成を示す分解図である。
【発明を実施するための形態】
【００１７】
添付図面を参照して、本発明の好適な実施形態について説明する（なお、各図において、同一の符号を付したものは、同一又は同様の構成を有する。）。
【００１８】
［本実施形態］
（収容容器の構成）
図１は、本実施形態におけるバイアル瓶の収容容器であるネスト１の全体構成を示す図である。図１に示すとおり、ネスト１は、天板１１と、バイアル瓶を収納する保持部１２と、を備える。
【００１９】
天板１１は、平面形状が隅丸の方形で、複数の孔１１Ａが形成されている。孔１１Ａが形成された領域Ａの外縁に保持代１１Ｂが設けられている。孔１１Ａは、その形状がほぼ真円であって、この例では天板１１上に縦横に６×５の計３０個が整列して形成されている。この３０個の孔１１Ａが形成された領域Ａの外側に保持代１１Ｂが形成されている。また、孔１１Ａには、バイアル瓶の底面及び側面を保持して収納する保持部１２が連設されている。
【００２０】
保持代１１Ｂは、天板１１の四辺にわたって形成されている。保持代１１Ｂは、ネスト１を収納する収納容器であるタブ４（後述）において、支持される部分であるとともに、バイアル瓶をタブ４から取り出し、ネスト１を搬送する際に、搬送器具などにより把持される部分である。本実施形態では、特に、保持代１１Ｂの対向する辺の点対称の位置に、円弧状に切欠き１１Ｃが形成され、切欠き１１Ｃの周りには半円筒状の突出片１１Ｄが形成されており、これらにより把持部１３が形成されている。この把持部１３が形成されることにより、搬送器具などによってネスト１をピックアップすることが可能になっている。
【００２１】
保持部１２は、孔１１Ａを上部の開口とする円筒形であり、バイアル瓶の側方を保持する側壁１２Ａと、バイアル瓶の底部を支持する支持片１２Ｂとからなり、支持片１２Ｂの中央にはバイアル瓶をその底面からを押し上げ可能な押上げ穴１２Ｃが形成されている。すなわち、支持片１２Ｂは、保持部１２の底面において、側壁１２Ａから連設して円環状に形成され、当該円環の中央が押上げ穴１２Ｃである。押上げ穴１２Ｃは、例えば、バイアル瓶に対して滅菌や薬液の充填、あるいは薬液充填後のバイアル瓶の搬送を行う際に、搬送装置等に形成された押上げピンにより、底部から押上げ穴１２Ｃを通過してバイアル瓶を押上げ、バイアル瓶のピックアップをサポートする。
【００２２】
ここで、ネスト１は、ポリカーボネート樹脂、アクリル樹脂、ポリスチレン樹脂のいずれかの素材により構成されるのが好ましい。これらの素材を用いることで、ネスト１にバイアル瓶を収容したまま、バイアル瓶のガンマ線照射に代表される放射線滅菌やエチレンオキサイドに代表されるガス滅菌等を行う場合でも、素材の黄色化や劣化を低減させることができるからである。また、ポリカーボネート樹脂、アクリル樹脂、ポリスチレン樹脂としては、放射線滅菌においてガンマ線を照射しても黄色化しないグレードの樹脂を用いることが好ましい。また、ネスト１の上記樹脂素材として透明性の高いグレードを用いることで、ネスト１の透明性が高まりバイアル瓶の収容有無などの視認性をより向上させることが出来る。
【００２３】
なお、ネストは、図１で示したネスト１以外に、バイアル瓶の容量に応じて、少なくとも２つのタイプがある。すなわち、図１で示したネスト１は、バイアル瓶が１０ｍＬの場合を想定した容器の構成である。図２に示すのは、バイアル瓶の容器が６ｍＬの場合を想定したネスト２の構成であり、図３に示すのは、バイアル瓶の容器が２０ｍＬの場合を想定したネスト３の構成である。ネスト１、２及び３の相違は、バイアル瓶の保持部１２の径及び深さ（高さ）と、天板１１における孔１１Ａの配置個数及び配置構成である
【００２４】
すなわち、図２に示すとおり、ネスト２は、天板１１において、孔１１Ａが６個の列と７個の列とを互い違いに全部で７列配置している。一方、図３に示すとおり、ネスト３は、天板１１において、孔１１Ａが５個の列を全部で５列配置し、端部から１列目と３列目と５列目の孔１１Ａの配置位置は縦横で揃っており、端部から２列目と４列目の孔１１Ａの配置位置は縦横で揃っており、１，３，５列目と、２，４列目は互い違いにずれて配置されている。
【００２５】
一方で、ネスト１〜３のいずれにおいても、天板１１において孔１１Ａの配置された領域Ａの面積はほぼ同じであり、保持代１１Ｂが形成された幅も同様である。
【００２６】
このような１０ｍＬのバイアル瓶を収容するネスト１と、６ｍＬのバイアル瓶を収容するネスト２と、２０ｍＬのバイアル瓶を収容するネスト３とは、それぞれ孔１１Ａの径、保持部１２の深さ（高さ）は以下のとおりである。
ネスト１：孔１１Ａの径  ２５．２ｍｍ、保持部１２の深さ２８．０ｍｍ
ネスト２：孔１１Ａの径  ２３．５ｃｍ、保持部１２の深さ２３．０ｍｍ
ネスト３：孔１１Ａの径  ３３．２ｃｍ、保持部１２の深さ３７．８ｍｍ
【００２７】
（収納容器の構成）
続いて、図４を用いて、ネスト１〜３を収納する収納容器であるタブ４について説明する。タブ４は、平面形状を隅丸の長方形状として、底面４１と側壁４２とにより箱状に形成されている。
【００２８】
底面４１は、平面形状が隅丸の方形であり、その面積は、ネスト１〜３の孔１１Ａが配置された領域Ａより少なくとも大きく形成される。
【００２９】
側壁４２は、底面４１の四辺から連続的に立ち上がって形成された内側側壁４２Ａと、その上部の開口側に形成された外側側壁４２Ｂと、内側側壁４２Ａと外側側壁４２Ｂとを接続する段部４２Ｃと、開口端に設けられたフランジ部４２Ｄと、を備える。
【００３０】
内側側壁４２Ａは、ネスト１〜３の孔１１Ａが配置された領域Ａより大きく形成された底面４１の四辺に沿って形成されているため、タブ４にネスト１〜３が収納された場合には、ネスト１〜３の複数の保持部１２全体を覆うように構成される。一方で、内側側壁４２Ａの高さは、ネスト１〜３における保持部１２の底面がタブ４の底面４１に接しない程度で、ネスト１〜３の天板１１が後述の段部４２Ｃに当接する高さで構成される。つまり、上述したネスト１〜３における保持部１２の高さが最大であるネスト３における保持部１２の高さよりも、内側側壁４２Ａの高さが高くなるように構成されている。
【００３１】
外側側壁４２Ｂは、その内周がネスト１〜３の天板１１の外周とほぼ同じかわずかに大きいサイズで形成されている。すなわち、ネスト１〜３は、天板１１の外周が外側側壁４２Ｂに覆われるようになっている。また外側側壁４２Ｂの高さは、６ｍＬ、１０ｍＬ又は２０ｍＬのバイアル瓶がそれぞれのネスト１〜３において保持部１２に保持された状態において、ネスト１〜３がタブ４に収納された状態において、そのバイアル瓶の頂部がタブ４の外側側壁４２Ｂの頂部より飛び出さないように、外側側壁４２Ｂの高さを高く形成されるのが好ましい。
【００３２】
段部４２Ｃは、上述した内側側壁４２Ａと外側側壁４２Ｂとの間にこれらを接続するように、底面４１とその面を平行にして構成されている。そのため、ネスト１〜３が、タブ４に挿入された場合は、天板１１の保持代１１Ｂが、この段部４２Ｃに当接する。このとき、上述のとおり、内側側壁４２Ａは、その高さがネスト１〜３における保持部１２の最大高さよりも高く形成されているので、段部４２Ｃに天板１１の保持代１１Ｂが当接した状態において保持部１２の底面は底面４１に接さず、ネスト１〜３は、段部４２Ｃに保持される状態になる。
【００３３】
フランジ部４２Ｄは、ネスト１〜３をタブ４に収納したのち、タブ４の開口にフィルムを貼着させ梱包する際の貼着部をなす部分であり、その面は、底面４１及び段部４２Ｃと平行に形成される。
【００３４】
（作用効果）
【００３５】
以上説明したバイアル瓶の収容容器であるネストにおいては、天板１１は、バイアル瓶の収容領域となる複数の孔１１Ａから連設された保持部１２を備え、この天板１１が外縁に保持代１１Ｂを有し、さらに保持部１２に支持片１２Ｂが形成されたことで、この保持代１１Ｂを保持してバイアル瓶を収容した状態でバイアル瓶を落下させることなくネストを容易に搬送することが可能になる。
【００３６】
また、保持部１２は、底面にバイアル瓶を押上げ可能な押上げ穴１２Ｃを備えたことで、例えば、バイアル瓶を上方から摘まんで個別にピックアップする際に、バイアル瓶の底面側からバイアル瓶を押し上げることも可能で、バイアル瓶のピックアップが容易になる。また、押上げ穴１２Ｃは、環状に形成された支持片１２Ｂにより保持部１２の底面の中央に形成されているので、バイアル瓶を底面からバランスよく押し上げることが可能になる。さらに、保持代１１Ｂに把持部１３が形成されることで、収容容器ごと搬送するに当たって、より容易に搬送できる。
【００３７】
また、ネスト１〜３を、ポリカーボネート樹脂、アクリル樹脂、ポリスチレン樹脂のいずれかの素材により形成するので、ネスト１〜３にバイアル瓶を収容したまま、バイアル瓶の放射線滅菌やガス滅菌等を行う場合でも、収容容器の強度低下を抑制できるとともに、ガンマ線滅菌などにおいて黄色化を低減することができる。さらに、ネスト１〜３を上記の素材により形成するので、ネスト１が透明性を有し、バイアル瓶の収容有無などの視認性をより向上させることができる。
【００３８】
また、ネストを収納する収納容器であるタブ４によれば、底面４１から段部４２Ｃまでの高さを、ネスト１〜３の保持部１２の底面から天板１１の保持代１１Ｂの高さよりも大きくし、保持部１２の高さが異なるネスト１〜３の底部及び頂部が収納容器に収まるように設計することで、バイアル瓶の容量やサイズが変わった場合でも、バイアル瓶の容量やサイズに合わせて適宜ネスト１〜３を用いつつ、タブ４を共通にして収納することができる。そのため、バイアル瓶を収容する収容容器の包装や搬送を行うタブ４をバイアル瓶の容量に関わらず共通化させることが可能になる。
【００３９】
以上の本実施形態によれば、バイアル瓶を個別にピックアップし、又は複数個同時にピックアップすることのいずれもが容易であるとともに、バイアル瓶を収容する収容容器の包装や搬送をバイアル瓶の容量に関わらず共通化させることが可能なバイアル瓶の収容容器、及びその収納容器を提供することができる。
【００４０】
以上説明した実施形態は、本発明の理解を容易にするためのものであり、本発明を限定して解釈するためのものではない。実施形態が備える各要素及びその配置、材料、条件、形状、サイズ等は、例示したものに限定されるわけではなく適宜変更することができる。また、異なる実施形態で示した構成同士を部分的に置換し又は組み合わせることが可能である。
【符号の説明】
【００４１】
１〜３…ネスト、４…タブ、１１…天板、１１Ａ…孔、１１Ｂ…保持代、１１Ｃ…切欠き、１１Ｄ…突出片、１２…保持部、１２Ａ…側壁、１２Ｂ…支持片、１２Ｃ…押上げ穴、１３…把持部、４１…底面、４２…側壁、４２Ａ…内側側壁、４２Ｂ…外側側壁、４２Ｃ…段部、４２Ｄ…フランジ部、Ａ…領域
【図１】
2019017638.tif 000003
【図２】
2019017638.tif 000004
【図３】
2019017638.tif 000005
【図４】
2019017638.tif 000006